(57)【要約】【課題】安全性と信頼性を向上させた非水電解液２次電池、充電制御方法、充電制御コンピュータプログラム、充電制御装置、２次電池システム、２次電池電力源、電池応用装置を提供することを目的とする。【解決手段】非水電解液２次電池１は、外囲器１１で周囲を保護され、外部に導出された外部電極１２を備え、充電するときの周囲温度に応じて充電を停止する目標として予め設定された目標充電状態（目標充電状態ＳＯＣｕ）を目標充電状態温度特性データとして保有するデータ保有部１８を備える。【選択図】図１
2011181443.tif 000002
【特許請求の範囲】
【請求項１】
電極間に非水電解液を有する非水電解液２次電池であって、
充電するときの周囲温度に応じて充電を停止する目標として予め設定された目標充電状態を目標充電状態温度特性データとして保有するデータ保有部を備えること
を特徴とする非水電解液２次電池。
【請求項２】
請求項１に記載の非水電解液２次電池であって、
前記データ保有部は、メモリを有すること
を特徴とする非水電解液２次電池。
【請求項３】
請求項１に記載の非水電解液２次電池であって、
前記データ保有部は、外囲器の表面に表された光学式図形コードであること
を特徴とする非水電解液２次電池。
【請求項４】
請求項１から請求項３までのいずれか一つに記載の非水電解液２次電池に対する充電を制御する充電制御方法であって、
前記データ保有部から目標充電状態温度特性データを読み取るステップと、
前記非水電解液２次電池の周囲温度を検知するステップと、
検知した前記周囲温度に応じた目標充電状態を前記目標充電状態温度特性データから抽出するステップと、
前記非水電解液２次電池の充電状態を実充電状態として検知するステップと、
前記目標充電状態と前記実充電状態とを比較するステップと、
前記実充電状態が前記目標充電状態よりも低いときは、前記非水電解液２次電池に対する充電を実行するステップとを備えること
を特徴とする充電制御方法。
【請求項５】
請求項１から請求項３までのいずれか一つに記載の非水電解液２次電池に対する充電をコンピュータに制御させる充電制御コンピュータプログラムあって、
前記データ保有部から目標充電状態温度特性データを読み取るステップと、
前記非水電解液２次電池の周囲温度を検知するステップと、
検知した前記周囲温度に応じた目標充電状態を前記目標充電状態温度特性データから抽出するステップと、
前記非水電解液２次電池の充電状態を実充電状態として検知するステップと、
前記目標充電状態と前記実充電状態とを比較するステップと、
前記実充電状態が前記目標充電状態よりも低いときは、前記非水電解液２次電池に対する充電を実行するステップとをコンピュータに実行させること
を特徴とする充電制御コンピュータプログラム。
【請求項６】
請求項１から請求項３までのいずれか一つに記載の非水電解液２次電池に対する充電を制御する充電制御装置であって、
前記データ保有部から前記目標充電状態温度特性データを読み取るデータ読取部と、
前記非水電解液２次電池の周囲温度を検知する温度検知部と、
前記温度検知部で検知した前記周囲温度に応じた目標充電状態を前記目標充電状態温度特性データから抽出する目標充電状態抽出部と、
前記非水電解液２次電池の充電状態を実充電状態として検知する実充電状態検知部と、
前記目標充電状態と前記実充電状態とを比較する充電状態比較部と、
前記実充電状態が前記目標充電状態より低いときは、前記非水電解液２次電池に対する充電を実行する充電制御部とを備えること
を特徴とする充電制御装置。
【請求項７】
非水電解液２次電池と、前記非水電解液２次電池に対する充電を制御する充電制御装置とを備える２次電池システムであって、
前記充電制御装置は、請求項６に記載の充電制御装置であること
を特徴とする２次電池システム。
【請求項８】
非水電解液２次電池と、前記非水電解液２次電池に対する充電を制御する充電制御装置とを備える２次電池システム、および、前記非水電解液２次電池に対する充電電力を供給する充電用電源を備える２次電池電力源であって、
前記２次電池システムは、請求項７に記載の２次電池システムであること
を特徴とする２次電池電力源。
【請求項９】
非水電解液２次電池と、前記非水電解液２次電池に対する充電を制御する充電制御装置とを備える２次電池システムを搭載した電池応用装置であって、
前記２次電池システムは、請求項７に記載の２次電池システムであること
を特徴とする電池応用装置。
【発明の詳細な説明】
【技術分野】
【０００１】
本発明は、電極間に非水電解液を有する非水電解液２次電池、充電制御方法、充電制御コンピュータプログラム、充電制御装置、２次電池システム、２次電池電力源、および、電池応用装置に関する。
【背景技術】
【０００２】
電極間に非水電解液を有する非水電解液２次電池（例えば、リチウムイオン電池）は、非水電解液を適用することから水の電気分解電圧を超える高い電圧を得られること、貯蔵エネルギーが大きいことなどから注目されており、種々の電子機器の電源として、あるいは、車両用の電源、大型装置の電源などとして適用されだしている。
【０００３】
また、非水電解液２次電池は、充電が必要であり、充電に対する提案も種々なされている。さらに、充電に伴う温度特性についてもいくつかの課題が指摘されている。
【０００４】
例えば、電池の温度が低いほど充電状態を大きくする、つまり、温度と充電状態との間に負の相関を持たせることによって出力特性を一定に維持する電池の制御方法が提案されている（例えば、特許文献１参照。）。
【０００５】
また、低い温度での高い充電状態の確保、高い温度での低い充電状態の確保を目標値対温度特性曲線として設定し、目標値に充電状態をあわせる充電制御をすることによって、２次電池の寿命を延長することが提案されている（例えば、特許文献２参照。）。
【先行技術文献】
【特許文献】
【０００６】
【特許文献１】特開２００２−３４５１６５号公報
【特許文献２】特表２００９−５１４５０４号公報
【発明の概要】
【発明が解決しようとする課題】
【０００７】
しかし、従来の充電制御技術においては次のような問題がある。これまで非水電解液２次電池は例えば携帯電話機やノートパソコン等の電源として使用されてきた。これらの機器は製品寿命が短いことから、製品寿命が電池寿命と同等であった。しかし近年、非水電解液２次電池は住宅関連の電気設備用電源や車両用電源といった大容量で長寿命な機器に採用されてきており、非水電解液２次電池の電池交換が必要となるような状況が生じている。
【０００８】
また、非水電解液２次電池の充電における温度特性は、非水電解液２次電池に用いられる材料、製造メーカ、製造ロットなどにより異なるため、従来のような制御方法では、例えば電池交換をしたときに交換後の非水電解液２次電池に対する適切な充電制御を容易に、かつ高精度に実施することができないという問題があった。
【０００９】
本発明はこのような状況に鑑みてなされたものであり、非水電解液２次電池であって、周囲温度に応じた目標充電状態を目標充電状態温度特性データとして保有することにより、安全性と信頼性を向上させた非水電解液２次電池を提供することを目的とする。
【００１０】
また、本発明は、本発明に係る非水電解液２次電池の充電制御方法であって、目標充電状態温度特性データに基づいて周囲温度に応じた目標充電状態に充電することにより、非水電解液２次電池の安全性と信頼性を向上させる充電制御方法を提供することを他の目的とする。
【００１１】
また、本発明は、本発明に係る充電制御方法をコンピュータに実行させる充電制御コンピュータプログラムであって、目標充電状態温度特性データに基づいて周囲温度に応じた目標充電状態に充電することにより、非水電解液２次電池の安全性と信頼性を向上させる充電制御コンピュータプログラムを提供することを他の目的とする。
【００１２】
また、本発明は、本発明に係る充電制御方法を実行する充電制御装置であって、目標充電状態温度特性データに基づいて周囲温度に応じた目標充電状態に充電することにより、非水電解液２次電池の安全性と信頼性を向上させる充電制御装置を提供することを他の目的とする。
【００１３】
また、本発明は、本発明に係る充電制御装置と充電対象としての非水電解液２次電池とを備える２次電池システムであって、非水電解液２次電池の安全性と信頼性を向上させる２次電池システムを提供することを他の目的とする。
【００１４】
また、本発明は、本発明に係る２次電池システムと、充電電力を供給する充電用電源とを備える２次電池電力源であって、非水電解液２次電池の安全性と信頼性を向上させることにより、安全性と信頼性が高く、効率的で経済的な２次電池電力源を提供することを他の目的とする。
【００１５】
また、本発明は、本発明に係る２次電池システムを搭載した電池応用装置であって、非水電解液２次電池の安全性と信頼性を向上させることにより、安全性と信頼性の高い電池応用装置を提供することを他の目的とする。
【課題を解決するための手段】
【００１６】
本発明に係る非水電解液２次電池は、電極間に非水電解液を有する非水電解液２次電池であって、充電するときの周囲温度に応じて充電を停止する目標として予め設定された目標充電状態を目標充電状態温度特性データとして保有するデータ保有部を備えることを特徴とする。
【００１７】
したがって、本発明に係る非水電解液２次電池は、充電する際に、周囲温度に応じた目標充電状態（目標充電状態温度特性データ）をデータ保有部から読み取って充電することが可能となり、周囲温度に応じて予め設定された固有の目標充電状態に充電することができるので、固有の充電特性に応じて適切に充電することにより、安全性と信頼性を向上させることができる。また、例えば、電池交換で新規に設置する場合に、充電制御の設定をデータ保有部から読み取った目標充電状態温度特性データに基づいて容易に、かつ高精度に実施できるので、従来のような充電制御のための設定をする必要が生じない。
【００１８】
本発明に係る非水電解液２次電池では、前記データ保有部は、メモリを有することを特徴とする。
【００１９】
したがって、本発明に係る非水電解液２次電池は、内蔵されたメモリに記憶されたデータ（目標充電状態温度特性データ）を電気的に読み取らせることが可能となるので、読み取ったデータに基づいて充電を容易に、かつ高精度に制御することができる。
【００２０】
本発明に係る非水電解液２次電池では、前記データ保有部は、外囲器の表面に表された光学式図形コードであることを特徴とする。
【００２１】
したがって、本発明に係る非水電解液２次電池は、光学式図形コード（例えば２次元図形コード）に変換されたデータ（目標充電状態温度特性データ）を光学的に読み取らせることが可能となるので、読み取ったデータに基づいて充電を容易に、かつ高精度に制御することができる。
【００２２】
また、本発明に係る充電制御方法は、本発明に係る非水電解液２次電池に対する充電を制御する充電制御方法であって、前記データ保有部から目標充電状態温度特性データを読み取るステップと、前記非水電解液２次電池の周囲温度を検知するステップと、検知した前記周囲温度に応じた目標充電状態を前記目標充電状態温度特性データから抽出するステップと、前記非水電解液２次電池の充電状態を実充電状態として検知するステップと、前記目標充電状態と前記実充電状態とを比較するステップと、前記実充電状態が前記目標充電状態よりも低いときは、前記非水電解液２次電池に対する充電を実行するステップとを備えることを特徴とする。
【００２３】
したがって、本発明に係る充電制御方法は、非水電解液２次電池に対して充電を施すとき、固有の目標充電状態として予め設定された充電条件（周囲温度に応じて予め設定された目標充電状態を示す目標充電状態温度特性データ）をデータ保有部から読み取ることにより、周囲温度に応じた目標充電状態に充電することができるので、非水電解液２次電池の安全性と信頼性を向上させることができる。
【００２４】
また、本発明に係る充電制御コンピュータプログラムは、本発明に係る非水電解液２次電池に対する充電をコンピュータに制御させる充電制御コンピュータプログラムあって、前記データ保有部から目標充電状態温度特性データを読み取るステップと、前記非水電解液２次電池の周囲温度を検知するステップと、検知した前記周囲温度に応じた目標充電状態を前記目標充電状態温度特性データから抽出するステップと、前記非水電解液２次電池の充電状態を実充電状態として検知するステップと、前記目標充電状態と前記実充電状態とを比較するステップと、前記実充電状態が前記目標充電状態よりも低いときは、前記非水電解液２次電池に対する充電を実行するステップとをコンピュータに実行させることを特徴とする。
【００２５】
したがって、本発明に係る充電制御コンピュータプログラムは、非水電解液２次電池に対してコンピュータを用いて充電を施すとき、固有の目標充電状態として予め設定された充電条件（周囲温度に応じて予め設定された目標充電状態を示す目標充電状態温度特性データ）をコンピュータによってデータ保有部から読み取ることにより、周囲温度に応じた目標充電状態に充電することができるので、非水電解液２次電池の安全性と信頼性を向上させることができる。
【００２６】
また、本発明に係る充電制御装置は、本発明に係る非水電解液２次電池に対する充電を制御する充電制御装置であって、前記データ保有部から前記目標充電状態温度特性データを読み取るデータ読取部と、前記非水電解液２次電池の周囲温度を検知する温度検知部と、前記温度検知部で検知した前記周囲温度に応じた目標充電状態を前記目標充電状態温度特性データから抽出する目標充電状態抽出部と、前記非水電解液２次電池の充電状態を実充電状態として検知する実充電状態検知部と、前記目標充電状態と前記実充電状態とを比較する充電状態比較部と、前記実充電状態が前記目標充電状態より低いときは、前記非水電解液２次電池に対する充電を実行する充電制御部とを備えることを特徴とする。
【００２７】
したがって、本発明に係る充電制御装置は、非水電解液２次電池に対して充電を施すとき、固有の目標充電状態として予め設定された充電条件（周囲温度に応じて予め設定された目標充電状態を示す目標充電状態温度特性データ）をデータ保有部から読み取ることにより、周囲温度に応じた目標充電状態に充電することができるので、非水電解液２次電池の安全性と信頼性を向上させることができる。
【００２８】
また、本発明に係る２次電池システムは、非水電解液２次電池と、前記非水電解液２次電池に対する充電を制御する充電制御装置とを備える２次電池システムであって、前記充電制御装置は、本発明に係る充電制御装置であることを特徴とする。
【００２９】
したがって、本発明に係る２次電池システムは、非水電解液２次電池に対する充電を容易に、かつ高精度に実行し、非水電解液２次電池の安全性と信頼性を向上させた２次電池システムとすることができる。
【００３０】
また、本発明に係る２次電池電力源は、非水電解液２次電池と、前記非水電解液２次電池に対する充電を制御する充電制御装置とを備える２次電池システム、および、前記非水電解液２次電池に対する充電電力を供給する充電用電源を備える２次電池電力源であって、前記２次電池システムは、本発明に係る２次電池システムであることを特徴とする。
【００３１】
したがって、本発明に係る２次電池電力源は、非水電解液２次電池の安全性と信頼性を向上させた２次電池システムを備えることから、安全性と信頼性が高く、効率的で経済的な２次電池電力源とすることができる。
【００３２】
また、本発明に係る電池応用装置は、非水電解液２次電池と、前記非水電解液２次電池に対する充電を制御する充電制御装置とを備える２次電池システムを搭載した電池応用装置であって、前記２次電池システムは、本発明に係る２次電池システムであることを特徴とする。
【００３３】
したがって、本発明に係る電池応用装置は、非水電解液２次電池の安全性と信頼性を向上させた２次電池システムを備えることから、安全性と信頼性の高い電池応用装置とすることができる。
【発明の効果】
【００３４】
本発明に係る非水電解液２次電池は、電極間に非水電解液を有する非水電解液２次電池であって、充電するときの周囲温度に応じて充電を停止する目標として予め設定された目標充電状態を目標充電状態温度特性データとして保有するデータ保有部を備える。
【００３５】
したがって、本発明に係る非水電解液２次電池は、充電する際に、周囲温度に応じた目標充電状態（目標充電状態温度特性データ）をデータ保有部から読み取って充電することが可能となり、周囲温度に応じて予め設定された固有の目標充電状態に充電することができるので、固有の充電特性に応じて適切に充電することにより、安全性と信頼性を向上させることができるという効果を奏する。また、例えば、電池交換で新規に設置する場合に、充電制御の設定をデータ保有部から読み取った目標充電状態温度特性データに基づいて容易に、かつ高精度に実施できるので、従来のような充電制御のための設定をする必要が生じないという効果を奏する。
【００３６】
また、本発明に係る充電制御方法は、本発明に係る非水電解液２次電池に対する充電を制御する充電制御方法であって、前記データ保有部から目標充電状態温度特性データを読み取るステップと、前記非水電解液２次電池の周囲温度を検知するステップと、検知した前記周囲温度に応じた目標充電状態を前記目標充電状態温度特性データから抽出するステップと、前記非水電解液２次電池の充電状態を実充電状態として検知するステップと、前記目標充電状態と前記実充電状態とを比較するステップと、前記実充電状態が前記目標充電状態よりも低いときは、前記非水電解液２次電池に対する充電を実行するステップとを備える。
【００３７】
したがって、本発明に係る充電制御方法は、非水電解液２次電池に対して充電を施すとき、固有の目標充電状態として予め設定された充電条件（周囲温度に応じて予め設定された目標充電状態を示す目標充電状態温度特性データ）をデータ保有部から読み取ることにより、周囲温度に応じた目標充電状態に充電することができるので、非水電解液２次電池の安全性と信頼性を向上させることができるという効果を奏する。
【００３８】
また、本発明に係る充電制御コンピュータプログラムは、本発明に係る非水電解液２次電池に対する充電をコンピュータに制御させる充電制御コンピュータプログラムあって、前記データ保有部から目標充電状態温度特性データを読み取るステップと、前記非水電解液２次電池の周囲温度を検知するステップと、検知した前記周囲温度に応じた目標充電状態を前記目標充電状態温度特性データから抽出するステップと、前記非水電解液２次電池の充電状態を実充電状態として検知するステップと、前記目標充電状態と前記実充電状態とを比較するステップと、前記実充電状態が前記目標充電状態よりも低いときは、前記非水電解液２次電池に対する充電を実行するステップとをコンピュータに実行させる。
【００３９】
したがって、本発明に係る充電制御コンピュータプログラムは、非水電解液２次電池に対してコンピュータを用いて充電を施すとき、固有の目標充電状態として予め設定された充電条件（周囲温度に応じて予め設定された目標充電状態を示す目標充電状態温度特性データ）をコンピュータによってデータ保有部から読み取ることにより、周囲温度に応じた目標充電状態に充電することができるので、非水電解液２次電池の安全性と信頼性を向上させることができるという効果を奏する。
【００４０】
また、本発明に係る充電制御装置は、本発明に係る非水電解液２次電池に対する充電を制御する充電制御装置であって、前記データ保有部から前記目標充電状態温度特性データを読み取るデータ読取部と、前記非水電解液２次電池の周囲温度を検知する温度検知部と、前記温度検知部で検知した前記周囲温度に応じた目標充電状態を前記目標充電状態温度特性データから抽出する目標充電状態抽出部と、前記非水電解液２次電池の充電状態を実充電状態として検知する実充電状態検知部と、前記目標充電状態と前記実充電状態とを比較する充電状態比較部と、前記実充電状態が前記目標充電状態より低いときは、前記非水電解液２次電池に対する充電を実行する充電制御部とを備える。
【００４１】
したがって、本発明に係る充電制御装置は、非水電解液２次電池に対して充電を施すとき、固有の目標充電状態として予め設定された充電条件（周囲温度に応じて予め設定された目標充電状態を示す目標充電状態温度特性データ）をデータ保有部から読み取ることにより、周囲温度に応じた目標充電状態に充電することができるので、非水電解液２次電池の安全性と信頼性を向上させることができるという効果を奏する。
【００４２】
また、本発明に係る２次電池システムは、非水電解液２次電池と、前記非水電解液２次電池に対する充電を制御する充電制御装置とを備える２次電池システムであって、前記充電制御装置は、本発明に係る充電制御装置である。
【００４３】
したがって、本発明に係る２次電池システムは、非水電解液２次電池に対する充電を容易に、かつ高精度に実行し、非水電解液２次電池の安全性と信頼性を向上させた２次電池システムとすることができるという効果を奏する。
【００４４】
また、本発明に係る２次電池電力源は、非水電解液２次電池と、前記非水電解液２次電池に対する充電を制御する充電制御装置とを備える２次電池システム、および、前記非水電解液２次電池に対する充電電力を供給する充電用電源を備える２次電池電力源であって、前記２次電池システムは、本発明に係る２次電池システムである。
【００４５】
したがって、本発明に係る２次電池電力源は、非水電解液２次電池の安全性と信頼性を向上させた２次電池システムを備えることから、安全性と信頼性が高く、効率的で経済的な２次電池電力源とすることができるという効果を奏する。
【００４６】
また、本発明に係る電池応用装置は、非水電解液２次電池と、前記非水電解液２次電池に対する充電を制御する充電制御装置とを備える２次電池システムを搭載した電池応用装置であって、前記２次電池システムは、本発明に係る２次電池システムである。
【００４７】
したがって、本発明に係る電池応用装置は、非水電解液２次電池の安全性と信頼性を向上させた２次電池システムを備えることから、安全性と信頼性の高い電池応用装置とすることができるという効果を奏する。
【図面の簡単な説明】
【００４８】
【図１】本発明の実施の形態１に係る非水電解液２次電池の外観の概略構成を示す斜視図である。
【図２Ａ】図１に示した非水電解液２次電池が備えるデータ保有部の実施例であるデータ保有部（実施例１）の配置状態を拡大して示す平面図である。
【図２Ｂ】図２Ａに示したデータ保有部の端子部の状態を示す側面図である。
【図３】図１に示した非水電解液２次電池が備えるデータ保有部の実施例であるデータ保有部（実施例２）の配置状態を拡大して示す平面図である。
【図４】図１に示した非水電解液２次電池が備えるデータ保有部の実施例である光学式図形（実施例３）の配置状態を拡大して示す平面図である。
【図５】本発明の実施の形態２に係る充電制御装置の概略構成を示すブロック図である。
【図６】図１および図５に示した非水電解液２次電池（データ保有部）が保有する目標充電状態温度特性データの一例をグラフ化して示すグラフである。
【図７】本発明の実施の形態３に係る充電制御方法および充電制御コンピュータプログラムの処理ステップを示すフローチャートである。
【図８】図７に示したフローチャートによる充電制御の一例を示すグラフである。
【図９】本発明の実施の形態４に係る２次電池システムおよび２次電池電力源の主要構成ブロックを示すブロック図である。
【図１０】本発明の実施の形態５に係る電池応用装置の主要構成ブロックを示すブロック図である。
【発明を実施するための形態】
【００４９】
以下、本発明の実施の形態について図面を参照して説明する。
【００５０】
＜実施の形態１＞
図１ないし図４を参照して、本実施の形態に係る非水電解液２次電池について説明する。
【００５１】
図１は、本発明の実施の形態１に係る非水電解液２次電池１の外観の概略構成を示す斜視図である。
【００５２】
本実施の形態に係る非水電解液２次電池１は、電極間に非水電解液（内部構造については、図示しない。）を有する非水電解液２次電池１であって、外囲器１１で周囲を保護され、外部に導出された外部電極１２を備えている。また、非水電解液２次電池１は、充電するときの周囲温度に応じて充電を停止する目標として予め設定された目標充電状態（目標充電状態ＳＯＣｕ：図６参照）を目標充電状態温度特性データ（図６参照）として保有するデータ保有部１８を備える。
【００５３】
したがって、非水電解液２次電池１は、充電する際に、周囲温度に応じた目標充電状態ＳＯＣｕ（目標充電状態温度特性データ）をデータ保有部１８から読み取って充電することが可能となり、周囲温度に応じて予め設定された固有の目標充電状態ＳＯＣｕに充電することができるので、固有の充電特性に応じて適切に充電することにより、安全性と信頼性を向上させることができる。また、例えば、電池交換で新規に設置する場合に、充電制御の設定をデータ保有部１８から読み取った目標充電状態温度特性データに基づいて容易に、かつ高精度に実施できるので、従来のような充電制御のための設定をする必要が生じない。
【００５４】
なお、充電状態ＳＯＣ（Ｓｔａｔｅ  Ｏｆ  Ｃｈａｒｇｅ）は、充電率とも言われる。
【００５５】
データ保有部１８としては、例えば電気式、光学式などとすることが可能であり、電気式接触型（データ保有部１８ｆ）を図２Ａ、図２Ｂに、電気式非接触型（データ保有部１８ｓ）を図３に、光学式（光学式図形コード１８ｐ）を図４に示す。また、データ保有部１８には、目標充電状態温度特性データの他に、電池データ（電池型番、製品番号、充電回数）などを保有させておくことができる。
【００５６】
本発明で周囲温度とする対象としては、非水電解液２次電池１が設置された場所（環境）の温度、非水電解液２次電池１の外囲器１１の表面（温度検知範囲１３）での温度、非水電解液２次電池１の外囲器１１の内部での温度などを適宜選定しておけば良い。また、温度測定の容易性、精度、電池特性への影響度などを参照して選定することができる。本実施の形態では、外囲器１１の表面に温度検知範囲１３を予め設定した状態を示す。
【００５７】
なお、温度検知範囲１３は、周囲温度（例えば外囲器１１の表面での温度）を検知するときの基準領域とされている。温度検知範囲１３に対して温度センサー２５ｓ（図５参照）を接触させて非水電解液２次電池１の周囲温度を検知することができる。また、非水電解液２次電池１（外囲器１１）の内部での温度を測定するときは、熱伝導性のよい部材を温度検知範囲１３から外囲器１１の内側へ延長させておくことで高精度に内部での温度を検知することができる。また、非水電解液２次電池１が設置された場所の温度を周囲温度とするときは、非水電解液２次電池１の外囲器１１に対して適宜の周辺位置に温度センサー２５ｓを配置しておけば良い。
【００５８】
なお、非水電解液２次電池１の主な構成は、以下のとおりとした。
【００５９】
正極には、面積が２９０ｍｍ×２３０ｍｍ、厚みが２０μｍのアルミニウム箔を適用した。アルミニウム箔の両面に、活物質として１００μｍ厚のＬｉＭｎ2Ｏ4を塗工した。負極には、面積が３００ｍｍ×２４０ｍｍ、厚みが１０μｍの銅箔を適用した。銅箔の両面に、活物質として６０μｍ厚の黒鉛を塗工した。
【００６０】
３枚の正極および４枚の負極をそれぞれ交互に積層し、正極と負極の間に面積が３００×２４０ｍｍ、厚みが２５μｍのポリエチレンセパレータ（空隙率＝６０%、透気度＝１００ｓｅｃ／１００ｃｍ3）を挟み込んで積層体を形成した。正極の端部、負極の端部の活物質を塗工していない部分にアルミニウム端子、ニッケル端子を熱融着し、積層体を３５０ｍｍ×２７０ｍｍのアルミニウム箔を絶縁性フィルムにラミネートしたアルミラミネートフィルムで両側から挟み、３辺を熱融着した。
【００６１】
開口してある１辺から電解液として、１Ｍ−ＬｉＰＦ6（六フッ化リン酸リチウム）／ＥＣ（エチレンカーボネート）＋ＤＭＣ（ジメチルカーボネート）を７０ｇ（グラム）注入し、減圧下で密閉して非水電解液２次電池１を完成した。電解液にリチウム塩を使用することから、非水電解液２次電池１は、リチウムイオン電池を構成する。この構成での非水電解液２次電池１の初回放電容量は９．８Ａｈ〜１０．１Ａｈであった。
【００６２】
非水電解液２次電池１の構成としては、上述した例に限らず、正極は、リチウムイオン２次電池に使用される公知の正極活物質を用いることができる。例えばマンガン系だけでなく、コバルト系、鉄系材料も使用可能である。負極は、リチウムイオン２次電池に使用される公知の負極活物質を用いることができる。例えば黒鉛だけでなく、錫の酸化物、シリコン系の負極活物質等、合金系の負極活物質も使用可能である。
【００６３】
電解液の成分は、リチウムイオン２次電池に使用される公知の材料が挙げられる。ジメチルカーボネートでなく、例えば、ジエチルカーボネート（ＤＥＣ）、エチルメチルカーボネート（ＭＥＣ）、１，２−ジメトキシエタン（ＤＭＥ）、アセトニトリルなどのいずれか、または複数を含むものであっても、リチウムイオン電池では同様な特性を有する。
【００６４】
図２Ａは、図１に示した非水電解液２次電池１が備えるデータ保有部１８の実施例であるデータ保有部１８ｆ（実施例１）の配置状態を拡大して示す平面図である。
【００６５】
図２Ｂは、図２Ａに示したデータ保有部１８ｆの端子部１８ｆｔの状態を示す側面図である。
【００６６】
本実施例で示すデータ保有部１８ｆは、データ保有部１８を電気式接触型として構成したものである。データ保有部１８ｆは、端子部１８ｆｔと、メモリ１８ｍとを備える。つまり、データ保有部１８は、メモリ１８ｍを有する。したがって、非水電解液２次電池１は、内蔵されたメモリ１８ｍに記憶されたデータ（目標充電状態温度特性データ：図６参照）を電気的に読み取らせることが可能となるので、読み取ったデータに基づいて充電を容易に、かつ高精度に制御することができる。
【００６７】
メモリ１８ｍには、目標充電状態温度特性データが保有（記録／記憶）されている。メモリ１８ｍは、例えば、データを予め書き込んだ読み取り専用のＲＯＭ（Ｒｅａｄ  Ｏｎｌｙ  Ｍｅｍｏｒｙ）形式で構成することも可能であるが、データの書き込みの容易性を考慮すれば、例えばフラッシュメモリのような書き換え自由なメモリ形式とすることが望ましい。
【００６８】
メモリ１８ｍを外部からの書き込み可能な一時記憶メモリとした場合は、電池製造工程を終了した後、外部からデータを書き込むことでデータの変更を容易に施すことが可能となるので、どのような電池仕様に対しても目標充電状態温度特性データの登録を容易に実行することができる。
【００６９】
メモリ１８ｍの内容は、端子部１８ｆｔ、インターフェース２８ｓ（図５参照）を介して外部から直接的に読み取ることができる構成とされている。端子部１８ｆｔ、インターフェース２８ｓは、例えばＵＳＢ（Ｕｎｉｖｅｒｓａｌ  Ｓｅｒｉａｌ  Ｂｕｓ）形式とすることができる。
【００７０】
図３は、図１に示した非水電解液２次電池１が備えるデータ保有部１８の実施例であるデータ保有部１８ｓ（実施例２）の配置状態を拡大して示す平面図である。
【００７１】
本実施例で示すデータ保有部１８ｓは、データ保有部１８を電気式非接触型として構成したものである。電気式である点で実施例１（図２Ａ、図２Ｂ）の場合と同様であるので、共通する事項については説明を省略することがある。
【００７２】
データ保有部１８ｓは、無線通信部１８ｓｔと、メモリ１８ｍとを備える。メモリ１８ｍには、実施例１の場合と同様に目標充電状態温度特性データ（図６参照）が保有（記録／記憶）されている。つまり、データ保有部１８は、メモリ１８ｍを有する。したがって、実施例１と同様の作用効果を奏する。
【００７３】
なお、無線通信部１８ｓｔとして無線通信方式でのデータ通信としたが、無線通信に限らず、例えば電磁誘導結合方式などを適用することも可能である。
【００７４】
メモリ１８ｍは、実施例１と同様であるので説明は省略する。メモリ１８ｍの内容は、無線通信部１８ｓｔ、インターフェース２８ｓ（図５参照）を介して外部から間接的に読み取ることができる構成とされている。無線通信部１８ｓｔ、インターフェース２８ｓは、例えばＲＦＩＤ（Ｒａｄｉｏ  Ｆｒｅｑｕｅｎｃｙ  Ｉｄｅｎｔｉｆｉｃａｔｉｏｎ）形式とすることができる。ＲＦＩＤの具体例としては、ＩＣタグなどがある。
【００７５】
目標充電状態温度特性データは、メモリ１８ｍに電気的に登録してあることから、充電制御装置２（図５参照）は、目標充電状態温度特性データをメモリ１８ｍから電気的に容易に、かつ高精度に読み出すことができる。
【００７６】
図４は、図１に示した非水電解液２次電池１が備えるデータ保有部１８の実施例である光学式図形コード１８ｐ（実施例３）の配置状態を拡大して示す平面図である。
【００７７】
本実施例で示す光学式図形コード１８ｐは、データ保有部１８を光学式として構成したものである。つまり、データ保有部１８は、外囲器１１の表面に表された光学式図形コード１８ｐである。したがって、非水電解液２次電池１は、光学式図形コード１８ｐに変換して表示されたデータ（目標充電状態温度特性データ：図６参照）を光学的に読み取らせることが可能となるので、読み取ったデータに基づいて充電を容易に、かつ高精度に制御することができる。
【００７８】
光学式図形コード１８ｐは、例えば、２次元図形コードであり、目標充電状態温度特性データを２次元図形コードに置き換えてある。光学式図形コード１８ｐをインターフェース２８ｓ（図５参照）によって外部から読み取ることで目標充電状態温度特性データを外部から読み取ることができる。
【００７９】
なお、インターフェース２８ｓは、例えば光学式読取装置で構成され、光学式図形コード１８ｐを外部から読み取ることができる。本実施例では、インターフェース２８ｓは、例えばＣＣＤ撮像装置などの光学式図形読取装置で構成される。
【００８０】
光学式図形コード１８ｐとしては、既存の規格化された各種の図形コード（１次元図形コード、２次元図形コード）を利用することが可能である。種々の図形コードが規格化されているが、規格に応じて適宜適用することが可能であるので詳細は省略する。なお、１次元図形コードの例としては、バーコードがあり、２次元図形コートの例としては、ＱＲコード（登録商標）がある。
【００８１】
また、非水電解液２次電池１の充電制御用として特有の図形コードを規格化し、充電制御装置２（図５参照）、２次電池システム３０（図９）などの規格化を図ることも可能である。
【００８２】
光学式図形コード１８ｐは、例えば、外囲器１１に印刷して形成する、あるいは、図形コードを印刷したシールを外囲器１１に貼り付けるなど、比較的簡単な工程で形成することができる。また、光学式図形読取装置を適用して電気的に非接触として読み取りが可能となる。
【００８３】
＜実施の形態２＞
図５および図６を参照して、本実施の形態に係る充電制御装置について説明する。なお、充電制御の対象とする非水電解液２次電池は、実施の形態１の非水電解液２次電池１とするので、適宜符号を援用して主に異なる技術事項について説明する。
【００８４】
図５は、本発明の実施の形態２に係る充電制御装置２の概略構成を示すブロック図である。
【００８５】
本実施の形態に係る充電制御装置２は、充電制御コンピュータプログラム（実施の形態３参照）を実行するハードウエア資源としてＣＰＵ（中央処理装置）を内蔵する充電制御部２０を備える。つまり、充電制御装置２（充電制御部２０）は、コンピュータとして動作する。
【００８６】
また、充電制御部２０は、充電制御コンピュータプログラム２１をプログラム記憶部に記憶し、充電制御コンピュータプログラム２１を具体的に実行する手段として、読取データ記憶部２２ｄ、目標充電状態抽出部２３、充電状態比較部２４、温度検知部２５、実充電状態検知部２６を備える。目標充電状態抽出部２３、充電状態比較部２４は、充電制御部２０の演算機能を利用することができる。
【００８７】
温度検知部２５は、非水電解液２次電池１の温度を検知する温度センサー２５ｓに接続され、温度センサー２５ｓからの情報に基づいて非水電解液２次電池１の温度を処理可能なデータとして検知する。実充電状態検知部２６は、非水電解液２次電池１の電圧を検知する電圧計２６ｓに接続され、電圧計２６ｓからの情報に基づいて非水電解液２次電池１の実充電状態ＳＯＣｒ（図８参照）をデータとして検知する。
【００８８】
なお、温度センサー２５ｓ、電圧計２６ｓは、センサー部２ｓとして充電制御装置２の外部に外付けすることが可能である。また、センサー部２ｓと充電制御装置２とは一体化することも可能である。
【００８９】
温度センサー２５ｓは、例えばサーミスタなどを適用して温度を抵抗値に変換することで温度を検知することが可能である。例えば温度検知範囲１３（非水電解液２次電池１）にサーミスタを接触させて測定することができる。また、電圧計２６ｓは、高抵抗を分圧して電圧信号を生成し、電圧信号に基づいて非水電解液２次電池１の電圧を検出して実充電状態ＳＯＣｒを検知することが可能である。温度センサー２５ｓおよび電圧計２６ｓは、非水電解液２次電池１に連結され、温度検知部２５および実充電状態検知部２６に信号を適宜の信号線を介して送信する構成としてある。
【００９０】
データ読取部２８は、インターフェース２８ｓを介して非水電解液２次電池１のデータ保有部１８が保有する目標充電状態温度特性データ（図６参照）を読み取り、読み取った目標充電状態温度特性データを読取データ記憶部２２ｄへ登録する。読取データ記憶部２２ｄは、目標充電状態温度特性データを一時的に記憶するメモリであり、例えばフラッシュメモリで構成される。
【００９１】
データ読取部２８、読取データ記憶部２２ｄは、非水電解液２次電池１を交換したとき、非水電解液２次電池１に固有の特性値として目標充電状態温度特性データを読み取り、記憶させる形態とすることができ、非水電解液２次電池１を次に交換するまで記憶させる形態とすることができる。交換したときに目標充電状態温度特性データを非水電解液２次電池１に対応させて読み取り、読取データ記憶部２２ｄに登録しておくことによって、次の交換のときまで、目標充電状態温度特性データの読み取りを不要にすることができ、効率的に充電制御装置２を作動させることができる。
【００９２】
なお、充電制御を実行する都度（充電の都度）、データ読取部２８、読取データ記憶部２２ｄを動作させる形態とすることもできる。
【００９３】
データ保有部１８がデータ保有部１８ｆ（電気式接触型）であれば、インターフェース２８ｓは、例えばＵＳＢ形式とすることができる。データ保有部１８がデータ保有部１８ｓ（電気式非接触型）であれば、インターフェース２８ｓは、例えばＲＦＩＤ形式とすることができる。また、データ保有部１８が光学式図形コード１８ｐであれば、光学式図形読取装置とすることができる。
【００９４】
また、充電制御装置２は、非水電解液２次電池１を充電するために充電用電源３から供給される充電用の電力を非水電解液２次電池１に供給して充電制御を実行する。なお、本実施の形態での充電用電源３は、例えば交流電源（商用電源）を整流して得られる直流電源、再生可能なエネルギーを利用した再生可能エネルギー利用電源などを適宜適用することができる。
【００９５】
充電制御装置２は、非水電解液２次電池１に対する充電の制御を例えば次のように実行する。なお、詳細なフローについては、実施の形態３（図７、図８）で説明する。
【００９６】
温度検知部２５は、非水電解液２次電池１の周囲温度を検知する。目標充電状態抽出部２３は、温度検知部２５で検知した周囲温度に応じた目標充電状態ＳＯＣｕ（図６参照）を目標充電状態温度特性データ（読取データ記憶部２２ｄ）から抽出する。実充電状態検知部２６は、非水電解液２次電池１の充電状態を実充電状態ＳＯＣｒ（図８参照）として検知する。
【００９７】
次に、充電状態比較部２４は、検知した周囲温度での目標充電状態ＳＯＣｕと実充電状態ＳＯＣｒとを比較する。充電制御部２０は、実充電状態ＳＯＣｒが目標充電状態ＳＯＣｕより低いとき、非水電解液２次電池１に対する充電を実行する。
【００９８】
つまり、本実施の形態に係る充電制御装置２は、実施の形態１に係る非水電解液２次電池１に対する充電を制御する充電制御装置２であって、データ保有部１８から目標充電状態温度特性データを読み取るデータ読取部２８と、非水電解液２次電池１の周囲温度を検知する温度検知部２５と、温度検知部２５で検知した周囲温度に応じた目標充電状態ＳＯＣｕを目標充電状態温度特性データから抽出する目標充電状態抽出部２３と、非水電解液２次電池１の充電状態を実充電状態ＳＯＣｒとして検知する実充電状態検知部２６と、目標充電状態ＳＯＣｕと実充電状態ＳＯＣｒとを比較する充電状態比較部２４と、実充電状態ＳＯＣｒが目標充電状態ＳＯＣｕより低いときは、非水電解液２次電池１に対する充電を実行する充電制御部２０とを備える。
【００９９】
したがって、本発明に係る充電制御装置２は、非水電解液２次電池１に対して充電を施すとき、固有の目標充電状態ＳＯＣｕとして予め設定された充電条件（周囲温度に応じて予め設定された目標充電状態ＳＯＣｕを示す目標充電状態温度特性データ）をデータ保有部１８から読み取ることにより、周囲温度に応じた目標充電状態ＳＯＣｕに充電することができるので、非水電解液２次電池１の安全性と信頼性を向上させることができる。
【０１００】
図６は、図１および図５に示した非水電解液２次電池１（データ保有部１８）が保有する目標充電状態温度特性データの一例をグラフ化して示すグラフである。
【０１０１】
つまり、図６は、データ保有部１８（メモリ１８ｍ、光学式図形コード１８ｐ）が保有する目標充電状態温度特性データをグラフ化したものである。横軸を充電時の周囲温度（℃）とし、縦軸を充電状態ＳＯＣ（％）として、目標充電状態温度特性データを示す。図６で、周囲温度（℃）の数値は、１０℃間隔で示すが、これに限らず、さらに細かい間隔でのデータ、あるいは逆に大きい間隔でのデータとすることも可能である。
【０１０２】
目標充電状態温度特性データそのものは、例えば、周囲温度に対する充電状態ＳＯＣ（目標充電状態ＳＯＣｕ）を一覧表形式にしたテーブルとしてデータ保有部１８（メモリ１８ｍ、光学式図形コード１８ｐ）に保有させてある（実施の形態１）。充電制御装置２は、データ保有部１８に保有された目標充電状態温度特性データを、インターフェース２８ｓ、データ読取部２８を介してデータ保有部１８から読み取って読取データ記憶部２２ｄに記憶する。
【０１０３】
従来技術で説明したとおり、非水電解液２次電池１（例えば、リチウムイオン電池）は、充電するときの温度による信頼性への影響が大きいことが一般的に指摘されている。
【０１０４】
非水電解液２次電池１は、低温側（例えば５℃に対するマイナス１０℃〜マイナス２０℃）での充電において、非水電解液での析出物が発生することが指摘されている。本実施の形態では、非水電解液２次電池１の低温側での充電による析出物の発生を防止するために、目標充電状態ＳＯＣｕを最大の目標充電状態ＳＯＣｕ（例えば周囲温度２０℃〜３０℃での９５％）に比較して低い状態で充電することによって析出物の発生を防止する。
【０１０５】
非水電解液２次電池１は、高温側（例えば４０℃に対するプラス５０℃〜プラス６０℃）での充電において、非水電解液による発火現象を生じる恐れが指摘されている。本実施の形態では、非水電解液２次電池１の高温側での充電による発火現象の発生を防止するために、目標充電状態ＳＯＣｕを最大の目標充電状態ＳＯＣｕ（例えば周囲温度２０℃〜３０℃での９５％）に比較して低い状態で充電することによって発火現象の発生を防止する。
【０１０６】
本実施の形態では、非水電解液２次電池１に対して予め信頼性試験を実施し、充電時の周辺温度に対する好ましい目標充電状態ＳＯＣｕを求めた。つまり、周囲温度２０℃〜３０℃に対して高温側では釘刺し試験（発火特性試験）を実施し、また、周囲温度２０℃〜３０℃に対して低温側では析出物発生特性を確認し、周囲温度（℃）に対する充電状態ＳＯＣ（％）として例えば図示したとおりの目標充電状態ＳＯＣｕを設定した。
【０１０７】
つまり、安定した充電特性が得られ、安全性と高い信頼性を確保する条件として、周囲温度が２０℃〜３０℃のときに対して９５％の充電状態ＳＯＣを目標充電状態ＳＯＣｕとして設定した。また、周囲温度がマイナス２０℃のときは、約５０％の充電状態ＳＯＣ、周囲温度がマイナス１０℃のときは、約６５％の充電状態ＳＯＣ、周囲温度が０℃のときは、約８０％の充電状態ＳＯＣ、周囲温度が１０℃のときは、約９０％の充電状態ＳＯＣ、周囲温度が４０℃のときは、約８５％の充電状態ＳＯＣ、周囲温度が５０℃のときは、約７０％の充電状態ＳＯＣ、周囲温度が６０℃のときは、約５５％の充電状態ＳＯＣをそれぞれ目標充電状態ＳＯＣｕとして設定した。
【０１０８】
なお、これらの数値は本実施の形態に係る非水電解液２次電池１についての例示であり、本実施の形態に係る非水電解液２次電池１での数値に過ぎない。したがって、非水電解液２次電池１の内部構造（材料、構造）が異なれば異なる数値を設定する場合がある。
【０１０９】
本実施の形態に係る非水電解液２次電池１、充電制御装置２によれば、非水電解液２次電池１のデータ保有部１８に保有させた目標充電状態温度特性データ（実施の形態１）を、インターフェース２８ｓ、データ読取部２８を介してデータ保有部１８から読み取って充電制御装置２（読取データ記憶部２２ｄ）に記憶することが可能となる。
【０１１０】
＜実施の形態３＞
図７および図８を参照して、本実施の形態に係る充電制御方法、および充電制御コンピュータプログラムについて説明する。
【０１１１】
図７は、本発明の実施の形態３に係る充電制御方法および充電制御コンピュータプログラムの処理ステップを示すフローチャートである。
【０１１２】
本実施の形態に係る充電制御方法および充電制御コンピュータプログラムは、コンピュータを内蔵する充電制御装置２（実施の形態２：図５）によって実行される。以下、コンピュータ（充電制御装置２、ＣＰＵで構成された充電制御部２０）に実行させる充電制御方法およびコンピュータを動作させる充電制御コンピュータプログラムの処理ステップについて説明する。
【０１１３】
本実施の形態に係る充電制御方法（充電制御コンピュータプログラム）は、電極間に非水電解液を有する非水電解液２次電池１（実施の形態１）に対する充電を制御する充電制御方法（充電制御方法をコンピュータに実行させる充電制御コンピュータプログラム）であり、次のステップＳ１１〜ステップＳ１９の処理を実行する。
【０１１４】
ステップＳ１１：
非水電解液２次電池１のデータ保有部１８が保有する目標充電状態温度特性データ（図６。周囲温度対目標充電状態相関特性を示すデータ。つまり、周囲温度に対応させて充電を停止する目標としての目標充電状態ＳＯＣｕを示すデータ。）を読み取る。目標充電状態温度特性データを読み取った後、ステップＳ１２、ステップＳ１５の処理を実行する。なお、インターフェース２８ｓ、データ読取部２８を介してデータ保有部１８から読み取られた目標充電状態温度特性データは、読取データ記憶部２２ｄに記憶される。
【０１１５】
読取データ記憶部２２ｄでのデータ記憶は、次の目標充電状態温度特性データが入力されるまで保持することが望ましい。読取データ記憶部２２ｄを書き換え可能なメモリで構成しておけば、非水電解液２次電池１が交換されたとき、読取データ記憶部２２ｄに記憶される目標充電状態温度特性データの書き換えを容易に実行できる。したがって、非水電解液２次電池１を交換したときでも引き続いて同様に充電制御を実行することができる。
【０１１６】
本ステップ、ステップＳ１２、ステップＳ１５はいずれを先に処理しても良い。したがって、本ステップは、ステップＳ１２、ステップＳ１５の後に実行することも可能である。しかし、以降のステップでの目標充電状態温度特性データの利用の便宜を考慮して本ステップを先に処理しておくことが望ましい。また、本ステップは、ステップＳ１３の前に実行する必要がある。
【０１１７】
なお、目標充電状態温度特性データは、非水電解液２次電池１を交換したときに１度だけ非水電解液２次電池１から読み取る形態としておき、以降の充電処理では、読み取りを省略する形態とすることができる。また、充電処理をする都度、非水電解液２次電池１から読み取る形態とすることもできる。
【０１１８】
ステップＳ１２：
非水電解液２次電池１の周囲温度を検知する。周囲温度は、非水電解液２次電池１（温度検知範囲）に近接して配置された温度センサー２５ｓを介して温度検知部２５（図５）によって検知される。周囲温度を検知した後、ステップＳ１３へ移行する。なお、本ステップは、ステップＳ１５に対して並行して実施することも可能である。また、周囲温度については、実施の形態１で説明したとおり、非水電解液２次電池１の形態に対応させて種々の検知形態を選択することが可能である。
【０１１９】
ステップＳ１３：
ステップＳ１１で読み取った目標充電状態温度特性データからステップＳ１２で検知した周囲温度に対応する目標充電状態ＳＯＣｕを抽出する。なお、本ステップは、目標充電状態抽出部２３によって実行される。
【０１２０】
ステップＳ１５：
非水電解液２次電池１の実際の充電状態を実充電状態ＳＯＣｒ（図８参照）として検知する。実充電状態ＳＯＣｒは、例えば電圧計２６ｓを介して実充電状態検知部２６（図５）によって検知される。実充電状態ＳＯＣｒを検知した後、ステップＳ１７へ移行する。
【０１２１】
なお、本ステップは、ステップＳ１１、ステップＳ１２もしくはステップＳ１３に対して並行して実施することが可能である。また、本ステップは、ステップＳ１１、ステップＳ１２もしくはステップＳ１３に対して前後いずれのタイミングでも実施することが可能である。
【０１２２】
本実施の形態では、実充電状態ＳＯＣｒの検知手段として電圧計２６ｓを採用したが、他の検知手段を適宜採用することも可能である。
【０１２３】
ステップＳ１７：
ステップＳ１３で周囲温度に対応させて抽出された目標充電状態ＳＯＣｕとステップＳ１５で検知された実充電状態ＳＯＣｒとを比較する。つまり、実充電状態ＳＯＣｒは目標充電状態ＳＯＣｕより低いか否かを判断する。なお、本ステップは、充電状態比較部２４によって実行される。
【０１２４】
ステップＳ１８：
実充電状態ＳＯＣｒが目標充電状態ＳＯＣｕより低いとき（ステップＳ１７：ＹＥＳ）は、非水電解液２次電池１に対する充電を実行する。なお、本ステップは、充電制御部２０によって実行される。
【０１２５】
また、適宜の周期でステップＳ１２、ステップＳ１５へ戻ることによって周囲温度への追随が容易となるのでさらに高精度に充電を制御することができる。
【０１２６】
ステップＳ１９：
実充電状態ＳＯＣｒが目標充電状態ＳＯＣｕより高いとき（ステップＳ１７：ＮＯ）は、非水電解液２次電池１に対する充電はしないで処理（コンピュータプログラム）を終了する。なお、本ステップは、充電制御部２０によって実行される。
【０１２７】
図８は、図７に示したフローチャートによる充電制御の一例を示すグラフである。
【０１２８】
横軸の周囲温度と、縦軸の充電状態ＳＯＣとで定義される座標において、曲線で示される目標充電状態ＳＯＣｕは、目標充電状態温度特性データである。目標充電状態温度特性データに対して、各周囲温度のときの実充電状態ＳＯＣｒを例示している。実充電状態ＳＯＣｒから目標充電状態ＳＯＣｕに向けて示す矢印が充電処理を示す。
【０１２９】
本実施の形態に係る目標充電状態温度特性データでは、例えば、周囲温度がＴ１（℃）のとき目標充電状態はＳＯＣｕ８、周囲温度がＴ２（℃）のとき目標充電状態はＳＯＣｕ６、周囲温度がＴ３（℃）のとき目標充電状態はＳＯＣｕ４、周囲温度がＴ４（℃）のとき目標充電状態はＳＯＣｕ２、周囲温度がＴ５（℃）のとき目標充電状態はＳＯＣｕ１、周囲温度がＴ６（℃）のとき目標充電状態はＳＯＣｕ１、周囲温度がＴ７（℃）のとき目標充電状態はＳＯＣｕ３、周囲温度がＴ８（℃）のとき目標充電状態はＳＯＣｕ５、周囲温度がＴ９（℃）のとき目標充電状態はＳＯＣｕ７と予め設定されている。
【０１３０】
つまり、周囲温度Ｔ５のときの目標充電状態ＳＯＣｕ１、周囲温度Ｔ６のときの目標充電状態ＳＯＣｕ１を最大値（極大値）とし、低温側では、目標充電状態ＳＯＣｕ８＜目標充電状態ＳＯＣｕ６＜目標充電状態ＳＯＣｕ４＜目標充電状態ＳＯＣｕ２＜目標充電状態ＳＯＣｕ１の関係とされ、高温側では、目標充電状態ＳＯＣｕ１＞目標充電状態ＳＯＣｕ３＞目標充電状態ＳＯＣｕ５＞目標充電状態ＳＯＣｕ７の関係とされている。つまり、目標充電状態温度特性データは、横軸に対して目標充電状態ＳＯＣｕ１を極大値とする上向きの凸状曲線（山形曲線）となっている。
【０１３１】
なお、周囲温度は、Ｔ１＜Ｔ２＜Ｔ３＜Ｔ４＜Ｔ５＜Ｔ６＜Ｔ７＜Ｔ８＜Ｔ９とし、Ｔ５、Ｔ６は、特定温度として、例えば図６の場合のように２０℃、３０℃とすることができる。また、周囲温度の設定は、必要に応じて、５℃単位、１０℃単位などとして段階的に設定することが可能であり、中間的な温度を検知した場合は、補完法（外挿法）を適用して適宜の目標充電状態ＳＯＣｕを抽出（演算）することが可能である。ここでは、例示として代表的に９点の周囲温度を示したがさらに細分化しても良い。
【０１３２】
例えば、周囲温度がＴ１（℃）のとき実充電状態はＳＯＣｒ４、周囲温度がＴ２（℃）のとき実充電状態はＳＯＣｒ６、周囲温度がＴ３（℃）のとき実充電状態はＳＯＣｒ９、周囲温度がＴ４（℃）のとき実充電状態はＳＯＣｒ８、周囲温度がＴ５（℃）のとき実充電状態はＳＯＣｒ３、周囲温度がＴ６（℃）のとき実充電状態はＳＯＣｒ７、周囲温度がＴ７（℃）のとき実充電状態はＳＯＣｒ２、周囲温度がＴ８（℃）のとき実充電状態はＳＯＣｒ１、周囲温度がＴ９（℃）のとき実充電状態はＳＯＣｒ５であったとした場合の充電制御について説明する。
【０１３３】
周囲温度Ｔ１のときは、実充電状態ＳＯＣｒ４から目標充電状態ＳＯＣｕ８への充電を矢符号のとおり実行する。周囲温度Ｔ２のときは、実充電状態ＳＯＣｒ６から目標充電状態ＳＯＣｕ６への充電を矢符号のとおり実行する。周囲温度Ｔ３のときは、実充電状態ＳＯＣｒ９から目標充電状態ＳＯＣｕ４への充電を矢符号のとおり実行する。周囲温度Ｔ４のときは、実充電状態ＳＯＣｒ８から目標充電状態ＳＯＣｕ２への充電を矢符号のとおり実行する。周囲温度Ｔ５のときは、実充電状態ＳＯＣｒ３から目標充電状態ＳＯＣｕ１への充電を矢符号のとおり実行する。周囲温度Ｔ６のときは、実充電状態ＳＯＣｒ７から目標充電状態ＳＯＣｕ１への充電を矢符号のとおり実行する。周囲温度Ｔ７のときは、実充電状態ＳＯＣｒ２から目標充電状態ＳＯＣｕ３への充電を矢符号のとおり実行する。周囲温度Ｔ９のときは、実充電状態ＳＯＣｒ５から目標充電状態ＳＯＣｕ７への充電を矢符号のとおり実行する。
【０１３４】
また、周囲温度Ｔ８のときは、実充電状態ＳＯＣｒ１は、目標充電状態ＳＯＣｕ５より高い充電状態であることから、充電は不要（不都合）であり、充電は実行しないで充電制御を終了する。
【０１３５】
上述したとおり、本実施の形態に係る充電制御方法では、周囲温度に対応させて予め設定されている目標充電状態ＳＯＣｕを目標充電状態温度特性データから抽出して現実の充電状態である実充電状態ＳＯＣｒと比較し、不足する充電量に対応させて充電を施すことから、安全性と信頼性の高い充電制御方法となる。つまり、周囲温度の状態に応じた適切な充電状態で非水電解液２次電池１を充電するので、非水電解液２次電池１の安全性と信頼性を確保することができる。
【０１３６】
なお、図８では、周囲温度が一定の場合に単純化して充電状態（充電制御）を説明したが、充電制御の途中で周囲温度が変動することもありうる。そのような場合に対応するためには、図７で示したステップの実行周期を短くすれば良い。つまり、ステップＳ１８からステップＳ１２、ステップＳ１５へ戻る時間を短縮してより頻繁にステップＳ１２、ステップＳ１３、ステップＳ１５を実行するようにすれば良い。
【０１３７】
上述したとおり、本実施の形態に係る充電制御方法は、実施の形態１に係る非水電解液２次電池１に対する充電を制御する充電制御方法であって、データ保有部１８から目標充電状態温度特性データを読み取るステップと、非水電解液２次電池１の周囲温度を検知するステップと、検知した周囲温度に応じた目標充電状態を目標充電状態温度特性データから抽出するステップと、非水電解液２次電池１の充電状態を実充電状態として検知するステップと、目標充電状態と実充電状態とを比較するステップと、実充電状態が目標充電状態よりも低いときは、非水電解液２次電池１に対する充電を実行するステップとを備える。
【０１３８】
したがって、本実施の形態に係る充電制御方法は、非水電解液２次電池１に対して充電を施すとき、固有の目標充電状態として予め設定された充電条件（周囲温度に応じて予め設定された目標充電状態を示す目標充電状態温度特性データ）をデータ保有部１８から読み取ることにより、周囲温度に応じた目標充電状態に充電することができるので、非水電解液２次電池１の安全性と信頼性を向上させることができる。
【０１３９】
上述したとおり、本実施の形態に係る充電制御方法は、実施の形態１に係る非水電解液２次電池１に対する充電をコンピュータに制御させる充電制御コンピュータプログラムあって、データ保有部１８から目標充電状態温度特性データを読み取るステップと、非水電解液２次電池１の周囲温度を検知するステップと、検知した周囲温度に応じた目標充電状態を目標充電状態温度特性データから抽出するステップと、非水電解液２次電池１の充電状態を実充電状態として検知するステップと、目標充電状態と実充電状態とを比較するステップと、実充電状態が目標充電状態よりも低いときは、非水電解液２次電池１に対する充電を実行するステップとをコンピュータに実行させる。
【０１４０】
したがって、本実施の形態に係る充電制御コンピュータプログラムは、非水電解液２次電池１に対してコンピュータを用いて充電を施すとき、固有の目標充電状態ＳＯＣｕとして予め設定された充電条件（周囲温度に応じて予め設定された目標充電状態ＳＯＣｕを示す目標充電状態温度特性データ）をコンピュータによってデータ保有部１８から読み取ることにより、周囲温度に応じた目標充電状態ＳＯＣｕに充電することができるので、非水電解液２次電池１の安全性と信頼性を向上させることができる。
【０１４１】
＜実施の形態４＞
図９を参照して、本実施の形態に係る２次電池システム３０、および、２次電池システム３０を適用した２次電池電力源４０について説明する。なお、非水電解液２次電池１、充電制御装置２、充電用電源３は、実施の形態１ないし実施の形態３の場合と同様であるので、適宜符号を援用し主に異なる事項について説明する。
【０１４２】
図９は、本発明の実施の形態４に係る２次電池システム３０および２次電池電力源４０の主要構成ブロックを示すブロック図である。
【０１４３】
非水電解液２次電池１に充電制御装置２が設けられた状態とされて２次電池システム３０が構成されている。また、２次電池システム３０に対しては、充電用電源３が接続されて充電用電源３から充電用の電力が供給される状態とされて２次電池電力源４０が構成されている。２次電池システム３０（非水電解液２次電池１）には、負荷としての電池負荷５０が接続されている。
【０１４４】
本実施の形態に係る２次電池システム３０は、電極間に非水電解液を有し充電するときの周囲温度に応じて充電を停止する目標として予め設定された目標充電状態（目標充電状態ＳＯＣｕ：図６参照）を目標充電状態温度特性データとして保有するデータ保有部１８を備える非水電解液２次電池１と、非水電解液２次電池１に対する充電を制御する充電制御装置２とを備える。また、充電制御装置２は、実施の形態２に記載した充電制御装置２をそのまま適用することができる。
【０１４５】
したがって、本実施の形態に係る２次電池システム３０は、非水電解液２次電池１に対する充電を容易に、かつ高精度に実行し、非水電解液２次電池１の安全性と信頼性を向上させた２次電池システム３０とすることができる。
【０１４６】
２次電池システム３０は、例えば、携帯電子機器、後述する電池応用装置６０（図１０、実施の形態５参照）などへ搭載することが可能である。
【０１４７】
また、本実施の形態に係る２次電池電力源４０は、非水電解液２次電池１と、非水電解液２次電池１に対する充電を制御する充電制御装置２とを備える２次電池システム３０、および、非水電解液２次電池１に対する充電電力を供給する充電用電源３を備える２次電池電力源４０である。
【０１４８】
したがって、本実施の形態に係る２次電池電力源４０は、非水電解液２次電池１の安全性と信頼性を向上させた２次電池システムを備えることから、安全性と信頼性が高く、効率的で経済的な２次電池電力源４０とすることができる。
【０１４９】
なお、充電用電源３としては、再生可能なエネルギーを利用した再生エネルギー電源（再生エネルギー発電システム）を適用することが望ましい。再生エネルギー電源を活用することによって、効率的で経済的な２次電池電力源４０となる。
【０１５０】
再生エネルギー電源の具体例としては、太陽光発電システム、風力発電システム、水力発電システム、地熱発電システム、バイオマス発電システム、雪氷熱利用発電システム、海洋温度差発電システム、潮汐発電システムなどを適用することができる。必要に応じて、化石燃料使用発電システム（火力発電システム）、原子力発電システムなどを適用することができる。
【０１５１】
したがって、２次電池電力源４０は、大規模な設備にした場合は、例えば、発電所、家庭用電力供給システム（太陽光発電システム）などとして実現することができる。
【０１５２】
＜実施の形態５＞
図１０を参照して、本実施の形態に係る電池応用装置６０について説明する。
【０１５３】
図１０は、本発明の実施の形態５に係る電池応用装置６０の主要構成ブロックを示すブロック図である。
【０１５４】
電池応用装置６０は、例えば移動体、あるいは、電動工具などとして具体化される。つまり、実施の形態４に係る２次電池システム３０（非水電解液２次電池１、充電制御装置２）を搭載した電池応用装置（電池負荷でもある。）について説明する。非水電解液２次電池１、充電制御装置２、２次電池システム３０は、実施の形態１ないし実施の形態４の場合と同様であるので、適宜符号を援用し主に異なる事項について説明する。なお、電池応用装置６０としての移動体、電動工具は、２次電池システム３０（非水電解液２次電池１、充電制御装置２）を備える点で共通し、電池負荷としての機構動作部が異なるだけであるので、本実施の形態では、電池応用装置６０の具体例として併せて説明する。
【０１５５】
本実施の形態に係る電池応用装置６０（移動体）は、移動体として必要な機構動作部（車輪駆動部など）を電池負荷６５として備える。電池応用装置６０（移動体）は、電極間に非水電解液を有する非水電解液２次電池１と、非水電解液２次電池１に対する充電を制御する充電制御装置２とを備える２次電池システム３０を搭載している。また、２次電池システム３０は、実施の形態４で記載した２次電池システム３０である。
【０１５６】
したがって、本発明に係る電池応用装置６０（移動体）は、安全性と信頼性の高い２次電池システム３０を搭載することから、安全性と信頼性の高い移動体（電池応用装置６０）となる。
【０１５７】
なお、移動体としては、例えば、自動車、電車、電動バイク、電動自転車、フォークリフト、ボート、フェリー、飛行機、気球などがあり、いずれに対しても同様に２次電池システム３０（非水電解液２次電池１、充電制御装置２）を適用することができる。
【０１５８】
本実施の形態に係る電池応用装置６０（電動工具）は、電動工具として必要な機構動作部（ドリルを回転させる回転駆動部など）を電池負荷６５として備える。電池応用装置６０（電動工具）は、電極間に非水電解液を有する非水電解液２次電池１と、非水電解液２次電池１に対する充電を制御する充電制御装置２とを備える２次電池システム３０を搭載している。また、２次電池システム３０は、実施の形態４で記載した２次電池システム３０である。
【０１５９】
したがって、本発明に係る電池応用装置６０（電動工具）は、安全性と信頼性の高い２次電池システム３０を搭載することから、安全性と信頼性の高い電動工具（電池応用装置６０）となる。
【０１６０】
なお、電動工具としては、例えば、電動ドリル、電動鋸などがあり、いずれに対しても同様に２次電池システム３０（非水電解液２次電池１、充電制御装置２）を適用することができる。
【０１６１】
上述したとおり、本実施の形態に係る電池応用装置６０は、電極間に非水電解液を有し充電するときの周囲温度に応じて充電を停止する目標として予め設定された目標充電状態（目標充電状態ＳＯＣｕ：図６参照）を目標充電状態温度特性データとして保有するデータ保有部１８を備える非水電解液２次電池１と、非水電解液２次電池１に対する充電を制御する充電制御装置２とを備える２次電池システム３０を搭載した電池応用装置６０（移動体、電動工具）であって、２次電池システムは、実施の形態４に記載の２次電池システム３０である。
【０１６２】
したがって、本実施の形態に係る電池応用装置６０は、非水電解液２次電池１の安全性と信頼性を向上させた２次電池システム３０を備えることから、安全性と信頼性の高い電池応用装置６０とすることができる。
【０１６３】
また、電池応用装置６０は、上述したとおり、移動体または電動工具とすることが望ましい。
【符号の説明】
【０１６４】
１  非水電解液２次電池
２  充電制御装置
２ｓ  センサー部
３  充電用電源
１１  外囲器
１２  外部電極
１３  温度検知範囲
１８、１８ｆ、１８ｓ  データ保有部
１８ｍ  メモリ
１８ｐ  光学式図形コード（データ保有部）
２０  充電制御部
２１  充電制御コンピュータプログラム
２２ｄ  読取データ記憶部
２３  目標充電状態抽出部
２４  充電状態比較部
２５  温度検知部
２５ｓ  温度センサー
２６  実充電状態検知部
２６ｓ  電圧計
２８  データ読取部
２８ｓ  インターフェース
３０  ２次電池システム
４０  ２次電池電力源
５０  電池負荷
６０  電池応用装置（移動体／電動工具）
６５  電池負荷（機構動作部）
ＳＯＣ  充電状態
ＳＯＣｒ  実充電状態
ＳＯＣｕ  目標充電状態
【図１】
2011181443.tif 000003
【図２Ａ】
2011181443.tif 000004
【図２Ｂ】
2011181443.tif 000005
【図３】
2011181443.tif 000006
【図４】
2011181443.tif 000007
【図５】
2011181443.tif 000008
【図６】
2011181443.tif 000009
【図７】
2011181443.tif 000010
【図８】
2011181443.tif 000011
【図９】
2011181443.tif 000012
【図１０】
2011181443.tif 000013